(57)【要約】【課題】外反母趾により、外方に開いた第１中足指関節を内方に押し付け矯正する機能を備えた履物において、その機能が十分かつ確実に発揮されるように、使用者に応じてその押付力が容易に調節できるようにすることを目的とする。【解決手段】足の親指の付け根にあたる第１中足骨骨頭部の外側に位置した甲被１の片側の下端と、第５中足骨の外側に位置した甲被１の他方側の下端に、それぞれねじ受部材５を取り付け、両端に逆ねじとなるようにねじ部４ａ，４ｂが設けられたねじ軸４で、前記両ねじ受部材５，５を靴底２の部分で連結した。そして、このねじ軸４を回転させることにより、両ねじ受部材５，５を接離方向に駆動し、親指の付け根に接した甲被１の押付力の調節が行えるようにした。【選択図】図１
2005279188.tif 000002
【特許請求の範囲】
【請求項１】
足の親指の付け根にあたる第１中足骨骨頭部の外側に該当する箇所の甲被の下端と、第５中足骨の外側に該当する箇所の甲被の下端が、靴底の内部に設けられた緊緩金具で接離方向に移動可能に連結され、該緊緩金具を外部から操作することにより、甲被による第１中足骨骨頭部の内方への押付力の調節がなされることを特徴とする外反母趾矯正履物。
【請求項２】
上記緊緩金具は、甲被の左右両側の下端に対向するように取り付けられる一対のねじ受部材と、両端に逆ねじとなるようにねじ部が設けられたねじ軸とで構成され、該ねじ軸の回転により、その両端に螺合したねじ受部材が接離する方向に駆動されるものであることを特徴とする請求項１記載の外反母趾矯正履物。
【発明の詳細な説明】
【技術分野】
【０００１】
本発明は、ハイヒールを常用する婦人などにおいて、しばしば見られる第１中足骨関節が静的亜脱臼を起こすことにより奇形的に生じた外反母趾を、常時使用することにより矯正することができる機能を備えた履物に関する。
【背景技術】
【０００２】
一般に人間の足は、図７に示したように足裏が全て地面に密着しないように、縦アーチ２１と横アーチ２２とが形成されるようになっており、この部分で衝撃を吸収することにより、立ったり歩いたりするという活動が自然に行えるようになっている。しかしながら、このアーチ２１，２２が形成されず、活動が阻害されるケースがあり、その原因のひとつして考えられているのが、外反母趾と称される足の第１中足骨関節が静的亜脱臼を起こすことによる足の変形である。
【０００３】
この外反母趾が生じるメカニズムは、次のように考えられている。即ち、先端の細いハイヒールやパンプスを長期間にわたって継続的に履くと、図６に示したように足の指先が先細状に無理な姿勢を強いられ、素足状態では頻繁に使われていた親指１６が動かなくなることから、親指側の第１中足骨骨頭部１２から小指側の第５中足骨骨頭部１３ａにかけての横中足靭帯１４が、図中矢印で示すように側方に緩み、その結果、母趾を中心に外正中線に対し曲げモーメントが常に働くようになり、随伴的に中足骨骨頭部１５が開き、それによって親指１６の付け根が外側（図６において左側）に開く。そして、この状態が継続し、あるいは繰り返されることにより、やがて靴を脱いでも元の状態に復帰しなくなり、この状態を外反母趾と称する。そして、このように外反母趾を発症すると、上述した横中足靭帯１４の弛緩と相俟って上記横アーチ２２がますます形成されなくなり、患部の痛みは勿論のこと、歩行などの日常生活にも支障を来すこととなり、そればかりか、患部をかばった無理な動作により、腰痛や背中の痛みを発症したり、ひどい場合には頭痛や血行不良による内臓疾患など、健康に重大な影響を及ぼすおそれさえあった。
【０００４】
そこで、当初はこのように外反母趾になると、足先を締め付けないように幅の広い靴を履くということが行われていたが、このことがかえって変形を放置し、直りを遅くするということになり、その後は、テーピングやサポータなどにより、積極的に外反母趾を元の状態に矯正するということが行われている。
【０００５】
そして、履物においても、この観点から積極的に外反母趾を矯正しようとするものが種々開発されている。
【０００６】
従来、この種の履物としては、例えばシューズの先を足袋状に二股に分けて親指の働きを独立させると共に、第１中足指関節より第５中足指関節にかけてベルトで固定するようにした外反母趾矯正上ばきがあった。（例えば、特許文献１参照）。
【０００７】
また、この他に足の第１中足骨骨頭部の内側から第５中足骨骨頭部の外側にかけての中足骨骨頭部に対して拘束する断面Ｕ字形の緩締体を履物本体に付設したものもあった。（例えば、特許文献２参照）。
【０００８】
さらにこれらの他に、親指の付け根と第５中足骨基底部に当る側面部分周辺に押圧部材又は補強部材を形成し、歩行時に外反母趾や足指が地面に設置しない不安定な足によって発生する必要以上のねじれを矯正又は予防するようにした履物もあった。（例えば、特許文献３参照）。
【特許文献１】実開昭６２−２６０３号公報（第１頁、第１図）
【特許文献２】実公平７−１０５６２号公報（第３頁、第１図）
【特許文献３】特許第３０８７１７４号公報（第２頁、第３図）
【発明の開示】
【発明が解決しようとする課題】
【０００９】
上述した従来の外反母趾矯正履物のうち、実公平７−１０５６２号公報と、特許第３０８７１７４号公報に示されたものは、何れも履物の特定の箇所に補強構造物を付設することにより、履物を履いた際に、親指の付け根にあたる第１中足骨骨頭部を押え、この第１中足骨骨頭部が離反拡開することによる外反母趾を矯正するようにしている。つまり、親指の付け根にあたる第１中足骨骨頭部と、足の外側の第５中足骨との間の寸法を規制することにより、履物を履いた際に、この第１中足骨骨頭部が内方に押し付けられるようにしている。
【００１０】
しかしながら、足の横幅に相当する上記の寸法は人によって異なり、また、外反母趾の程度も人によって相違するため、一概に足の大きさだけで上記の寸法を設定することができないという問題点があり、適合しないサイズのものを無理に使用すると、所望の効果が得られないばかりか、症状を悪化させるなど、思わぬトラブルを惹き起こすおそれさえあった。そのため、この種の履物は使用者に適合したものをオーダーメイドで製造することが望ましいが、その場合、製造に手間と日数を要すると共に、必然的に高価になるという問題点があった。さらにこのようにオーダーメイドで製造したとしても、上記従来のものでは、一度設定された上記の寸法は変えることができないので、異なる厚さの靴下や中敷を装着した場合や、外反母趾の症状の改善があったとしても所定の機能が発揮できるように適合させることができないという問題点があった。
【００１１】
また、実開昭６２−２６０３号公報に示されたものは、第１中足指関節より第５中足指関節にかけてマジックテープ付ベルトで固定するようにしているので、親指の付け根を押し付ける強さを任意に調節することができ、上記のような問題は生じないが、この履物は、上ばきシューズと限定されているように屋内で使用されるものであり、したがって、長時間の歩行に適したものではなく、その効果は限定的であった。また、マジックテープを着脱する構成上、ベルトはシューズ本体の外側に設けられ、シューズ本体の表面から足を締め付けるようになっており、そのため、シューズ本体は柔軟性を有する素材で形成されていることを要件とし、革靴など表面が硬い履物に適用することはできなかった。さらにこのベルトは、マジックテープで固定されるようになっているので、その固定保持が不十分で緩んだり外れたりし易いという問題点も有していた。
【００１２】
本発明は、上記従来の外反母趾の矯正に用いられる履物が有していた問題点の解決を課題とする。
【課題を解決するための手段】
【００１３】
上記の問題点を解決するために、本発明のうち、請求項１記載の外反母趾矯正履物は、足の親指の付け根にあたる第１中足骨骨頭部の外側に該当する箇所の甲被の下端と、第５中足骨の外側に該当する箇所の甲被の下端を、靴底の内部に設けられた緊緩金具で接離方向に移動可能に連結し、この緊緩金具を外部から操作することにより、甲被による第１中足骨骨頭部の内方への押付力の調節が行えるようにしたことを特徴とする。
【００１４】
請求項２記載の発明は、請求項１記載の発明の構成中、緊緩金具を甲被の左右両側の下端に対向するように取り付けられる一対のねじ受部材と、両端に逆ねじとなるようにねじ部が設けられたねじ軸とで構成し、ねじ軸の回転により、その両端に螺合したねじ受部材が接離する方向に駆動されるものと限定したことを特徴とする。
【発明の効果】
【００１５】
本発明のうち、請求項１記載の発明では、足の親指の付け根にあたる第１中足骨骨頭部の外側に位置した甲被の下端と、第５中足骨の外側に位置した甲被の下端を、靴底の内部に設けられた緊緩金具で接離方向に移動可能に連結し、この緊緩金具を操作することにより、甲被による親指付け根の内方への押付力の調節ができるようにしたので、履物を使用者に適合させて正確な外反母趾の矯正が行え、高い矯正効果が得られる。
【００１６】
また、請求項２記載の発明では、緊緩金具を一対のねじ受部材と、両端に逆ねじとなるようにこのねじ受部材と螺合するねじ部が設けられたねじ軸とで構成し、ねじ軸の回転により、両側のねじ受部材が接離する方向に駆動されるようにしたので、コンパクトに靴底内に収納して設けることができ、調整もねじ軸の回転で容易に行えるにもかかわらず、緩みが生じ難いという効果がある。
【発明を実施するための最良の形態】
【００１７】
以下、本発明を図示した実施の最良の形態に基づき詳細に説明する。
【００１８】
図１は、本発明の外反母趾矯正履物を靴を例に示した簡略斜視図、図２は、その側面図、図３は裏面図である。図示したように、一般に靴は、主として布や皮などで所定の立体形状に縫合あるいは接合された甲被１と、ゴムや合成樹脂などで足裏の形状に合わせて形成された靴底２とで構成されており、上記甲被１の下端周縁 1ａを内方に折り返し、この折り返した下面を靴底２の上側の周縁部分に接着、あるいは縫合して一体的に接合することにより、製造されるようになっており、その後、内部に中底（図示せず）を敷き、この接合部分を隠し、仕上げを施すようにしている。
【００１９】
ここにおいて、本発明では、上記甲被１の内側に折り返された裏面側に、図５に示すように甲被１の下端左右両側を連結するように一対の緊緩金具３を取り付けている。
【００２０】
この緊緩金具３は、図４に示したように、所定形状の金属板をＬ字形に屈曲して形成されたねじ受部材５と、このねじ受部材５に螺合するねじ軸４とで構成されており、ねじ受部材５は、下側の水平部分にカシメ金具（図５の符号６参照）挿入用の取付孔５ａを所定の間隙を有して左右に設けると共に、上側の垂直部分に、横方向に貫通するようにねじ孔５ｂを設けたものである。
【００２１】
また、上記ねじ軸４は、ねじ受部材５のねじ孔５ｂの内径とほぼ等しい外径を有する軸状のものであり、その外周の左右両側には、所定範囲にわたって前記ねじ孔５ｂと螺合するねじ部４ａ，４ｂが設けられている。ここにおいて、このねじ部４ａ，４ｂは、片側のものが逆ねじとなるように、左右でそのねじの案内方向が逆向きになっている。従って、図４に示したように、ねじ受部材５，５間で支持されるようにねじ軸４の両側のねじ部４ａ，４ｂに、ねじ受部材５，５のねじ孔５ｂ，５ｂを螺合させると、ねじ軸４の回転により、ねじ受部材５，５は、互いに接離する方向に駆動されるようになっている。
【００２２】
なお、上記ねじ軸５の片側あるいは両側の端面には、操作用のドライバ（図示せず）を係合させるための係合溝４ｃが設けられている。
【００２３】
上記緊緩金具３の取り付けは、まず、ねじ受け部材５をカシメ金具６を用いて甲被１の下端に固定し、取り付けるのであるが、この時、一方のねじ受部材５を図６に示した足の親指１６の付け根にあたる第１中足骨骨頭部１２の外側に対応した箇所の下端に取り付け、このねじ受部材５とねじ軸４で連結される他方側のねじ受部材５は、小指側の第５中足骨１３の外側に対応した箇所の下端に取り付けることとしている。そして、その後、ねじ孔５ｂにねじ部４ａ（又は４ｂ）を螺合させることにより、両ねじ受部材５，５をねじ軸４で連結するものである。
【００２４】
なお、上記緊緩金具３は、甲被１の下端部分に一つだけ取り付けても良いが、図示したように二つ並列的に設けることとすれば、力が分散され、強度面での向上が図られると共に、甲被１の特定の箇所に力が集中することによる表面の皺や歪みも生じ難くなり、好ましい。また、二つの緊緩金具３をＸ字状に交差させて配置すれば、踵部分のフィット感を高める効果も得られる。
【００２５】
そして、このようにして緊緩金具３が取り付けられた甲被１は、次にゴムや合成樹脂で足裏の形状に形成された靴底２に一体的に接合されるのであるが、この時、上記緊緩金具３と対応する箇所の靴底２の表面を予め凹設しておき、ここに緊緩金具３が収納されるようにしている。また、甲被１は、緊緩金具３が取り付けられた側方の少なくとも一方の側を、甲被１の移動を妨げないように所定の幅にわたって靴底２と接合せず、自由に動き得る状態としておき、さらに、靴底２の側面には、収納された緊緩金具３のねじ軸４の端面が臨む位置に、開口（図示せず）を適宜手段で閉塞可能に設けておく。
【００２６】
このようにして、靴底２に甲被１を一体的に接合した後、靴の内部に中底（図示せず）を貼り付け、前記接合部分を隠蔽し、本発明の外反母趾矯正履物が、完成するものである。
【００２７】
次に上記構成を有する本発明の外反母趾矯正履物の機能について説明すると、まず、通常の使用において、本発明の外反母趾矯正履物は、従来の靴と何ら変わるものではなく、その外観も通常の靴と殆ど見分けがつかないものである。そして、この靴を履いた際、外反母趾を発症した人にあっては、足の親指１６の付け根にあたる第１中足骨骨頭部１２が外方に開いているため、靴が足にフィットしていないと、歩く動作により足が靴の中で滑り、患部が靴の内面と擦れて刺激され、痛みを生じるばかりか、横中足靭帯１４の弛緩により足裏にアーチ２１，２２も形成されないので、一層歩行が困難なものとなるが、本発明の外反母趾矯正履物では、靴底２の側面に設けられた開口からドライバを差し込み、ねじ軸４を回転させれば、親指１６の付け根の第１中足骨骨頭部１２を甲被１で内方に押し付け、外反母趾を矯正し、靴を足にフィットさせることができる。また、このようにして外反母趾を矯正すれば、付随的に足裏のアーチ２１，２２も形成されるので、患部が擦れることによる痛みが軽減されると共に、歩行も楽に行えるようになるものである。
【００２８】
上記の操作手順を詳述すると、本発明の外反母趾矯正履物では、靴底２の側面に適宜手段で塞がれた開口が設けられているので、まず、栓や蓋などの閉塞手段（図示せず）を外し、開口を開放し、この開口からドライバを差し込み、その先端を靴底２の内部に設けられた緊緩金具３のねじ軸４の端面に設けられた溝４ｃに係合させる。そして、このねじ軸４を回転させると、ねじ軸４の両側に設けられたねじ部４ａ，４ｂは、一方が逆ねじに形成されているので、それぞれのねじ部４ａ，４ｂに螺合したねじ受部材５，５は、接離する方向に駆動される。よって、ねじ軸４を一方向に回転させ、ねじ受部材５，５を接近する方向に移動させれば、このねじ受部材５が取り付けられた甲被１は、互いにその左右両側（図５において左右両側）の下端が接近する方向に駆動され、結果としてこの甲被１で足の甲部分が締め付けられることとなる。この時、本発明の外反母趾矯正履物では、一方のねじ受部材５が、親指の付け根にあたる第１中足骨骨頭部１２の外側に対応した箇所の下端に取り付けられ、他側のねじ受部材５が、第５中足骨１３の外側に対応した箇所の下端に取り付けられているので、ねじ軸４の回転により、甲被１は第２図に矢印で示す方向に引っ張られ、結果として、足の親指の付け根を内方に押し付け、第１中足骨骨頭部１２を正常な位置に戻し、外反母趾を矯正するものである。
【００２９】
なお、この操作の際、上述したようにねじ部４ａ，４ｂは、その一方が逆ねじに形成されているので、一回転で二回転分、ねじ受部材５が接近移動するものである。
【００３０】
以上のようにして本発明の外反母趾矯正履物では、甲被１を引っ張り、靴を使用者の足にフィットさせることにより、外反母趾の矯正を図るようにしている。
【００３１】
なお、図示した実施の形態では、靴を例示したが、本発明の外反母趾矯正履物は、靴底部分に設けられた緊緩金具で親指の付け根部分の甲被が締め付けられるようになっていれば良く、同様に機能する甲被を有するものであれば、どのような履物であっても良い。
【図面の簡単な説明】
【００３２】
【図１】本発明の外反母趾矯正履物を靴を例に示した簡略斜視図である。
【図２】図１の側面図である。
【図３】図１の裏面図である。
【図４】緊緩金具の斜視図である。
【図５】靴底取付前の甲被の裏面図である。
【図６】外反母趾の模式透視図である。
【図７】足のアーチの機能模式図である。
【符号の説明】
【００３３】
１  甲被
１ａ  甲被の下端周縁
２  靴底
３  緊緩金具
４  ねじ軸
４ａ，４ｂ  ねじ部
５  ねじ受部材
５ａ  取付孔
５ｂ  ねじ孔
６  カシメ金具
１２  第１中足骨骨頭部
１３  第５中足骨
１４  横中足靭帯
２１  縦アーチ
２２  横アーチ
【図１】
2005279188.tif 000003
【図２】
2005279188.tif 000004
【図３】
2005279188.tif 000005
【図４】
2005279188.tif 000006
【図５】
2005279188.tif 000007
【図６】
2005279188.tif 000008
【図７】
2005279188.tif 000009